(57)【特許請求の範囲】
【請求項１】
シ−ルドケ−スに複数の孔を形成するとともに前記各孔から前記シ−ルドケ−ス外方に回路端子を突出し、前記各孔の周縁に前記回路端子を囲繞するア−ス端子を形成し、前記アース端子には該アース端子から延在する突片を形成したことを特徴とする高周波機器。
【請求項２】
前記アース端子は前記回路端子を囲繞するように円弧状に形成された複数の舌片状のアース端子からなり、前記突片を前記舌片状のアース端子に延在して設け、前記突片の幅を前記舌片状のアース端子の幅よりも狭くしたことを特徴とする請求項１に記載の高周波機器。
【請求項３】
請求項１又は２に記載の高周波機器をメイン基板に取り付け、前記メイン基板には前記回路端子を挿通する孔と前記突片を挿通する孔とを形成すると共に、配線導体と接地導体とを形成し、前記回路端子を前記配線導体に接続し、前記突片を前記接地導体に接続したことを特徴とする電子機器。
【発明の詳細な説明】
【０００１】
【発明の属する技術分野】
本発明はチュ−ナ、ＲＦモジュレ−タ等の高周波機器及びその高周波機器を用いたテレビ、ＶＴＲ等の電子機器に関する。
【０００２】
【従来の技術】
従来の高周波機器、例えばチュ−ナと、このチュ−ナを用いたテレビ等の電子機器を図７及び図８により説明する。図７は従来のチュ−ナの外観斜視図、図８はそのチュ−ナをテレビ等の電子機器に使用した状態を説明する一部断面図である。図７において、チュ−ナのシ−ルドケ−ス１は上下が開口した四角状の枠体２とその開口を塞ぐカバ−３、４とから構成され、内部に回路基板５（図８参照）が収納されている。枠体２の四隅には、枠体２の一方の開口の面よりも外方に突出する取り付け脚６が枠体２の端面から一体形成されている。また、取り付け脚６が形成されている側の開口を塞ぐ四角状の一片側に沿って、複数の孔７が列状に形成されており、この孔７を通してシ−ルドケ−ス１内の回路基板５にとりつけられた複数の回路端子８〜１２が外方に突出するようになっている。さらに、カバ−３と４の４周辺には枠体２に嵌合する複数の嵌合爪１３が形成されている。
【０００３】
回路基板５は、その主面がカバ−３、４の面と平行な状態でシ−ルドケ−ス１内に収納され、この回路基板５には、テレビセット内の他の回路と接続するための複数の回路端子８〜１２がシ−ルドケ−ス１の取り付け脚６と同じ方向に立設されている。そして以上のように構成されたチュ−ナは、図８に示すように、テレビセット内のメイン基板１４に取り付けられる。即ち、シ−ルドケ−ス１の枠体２に形成された取り付け脚６がメイン基板１４に挿通され、メイン基板１４に形成された接地導体１５にはんだ等で電気的、機械的に接続される。同様に、回路端子８〜１２もメイン基板１４に挿通され、このメイン基板１４に形成された配線導体１６〜２０にそれぞれ接続される。
【０００４】
これらの回路端子８〜１２には、入出力信号を伝送する信号系の回路端子と電源電圧、ＡＧＣ電圧を供給する直流系の回路端子とがある。この従来例では、回路端子８はアンテナ入力端子、回路端子９は選局用のＰＬＬデ−タ信号を導入するＰＬＬ端子、回路端子１２はチュ−ナからの出力信号を導出する出力端子となっており、ともに信号系の端子である。一方、回路端子１０は電源電圧を供給する電源端子、回路端子１１はＡＧＣ電圧を供給するＡＧＣ端子であり、ともに直流系の回路端子である。これらの回路端子８〜１２はすべて同じようにカバ−３の孔７から完全に突出してメイン基板１４に挿通される。そして直流系の回路端子である電源端子１０とＡＧＣ端子１１はメイン基板１４への挿通位置の近傍でメイン基板１４に設けた接地導体２１に高周波接地用のコンデンサ２２で接地されている。この接地導体２１はチュ−ナ側とは枠体２の取り付け脚６を介して接続されている。
【０００５】
【発明が解決しようとする課題】
従来のチュ−ナは以上のように回路端子８〜１２がシ−ルドケ−ス１の孔７からケ−ス１の外方に突出しているため、チュ−ナの組立、調整工程の際、あるいは、後工程であるテレビの組立時にこれら回路端子８〜１２が治工具等に接触して変形してしまい、この変形を修正する等の余分な工程を必要としていた。また、テレビの組立時においては、チュ−ナはテレビセットのメイン基板１４に取り付けられるが、その場合、メイン基板１４上のチュ−ナの周囲には、テレビセット側の種種の回路の回路配線（図示せず）が引き回されている。これらの回路にはチュ−ナで取り扱う信号のレベルよりも大きなレベルの信号を取り扱う回路等がある。また、異なる周波数の信号を取り扱う回路等もある。
【０００６】
このようなテレビセット側の回路の信号はチュ−ナにとっては妨害となるものである。しかも、テレビセット側の回路配線がメイン基板１４に取り付けられたチュ−ナの周囲で近接して引き回されているのでこの回路配線から放射する信号が容易にチュ−ナの回路端子８〜１２に飛びつくことになる。しかるに、直流系の端子である電源端子１０とＡＧＣ端子１１はメイン基板１４上でコンデンサ２２で高周波的に接地されてはいるが、接地導体２１がシ−ルドケ−ス１の四隅に設けたまでの間、取り付け脚６を介してメイン基板１４上で長く引き回されており、電源端子１０及びＡＧＣ端子の近傍では接地インピ−ダンスが無視できなくなり、接地効果が少なくなる。そのため電源端子１０、ＡＧＣ端子１１に飛びついたテレビセット側からの信号がチュ−ナ内に伝送され、その結果、チュ−ナの動作に妨害を与えるという問題がある。
【０００７】
一方、信号系の回路端子であるアンテナ入力端子８、ＰＬＬ端子９、出力端子１２についてはさらに条件が厳しくなっている。これらの信号系の回路端子８、９、１２は信号を伝送する必要があるために直流系の回路端子である電源端子１０、ＡＧＣ端子１１のように高周波接地用のコンデンサ２１で接地導体１５あるいは２１等に接地することは信号のレベル低下を招来するためにできない。そのため、電源端子１０、ＡＧＣ端子１１に比べてテレビセット側からの信号が飛びつきやすくなっている。しかもアンテナ入力端子８等に飛びついたテレビセット側からの信号はそのままチュ−ナの高周波回路に伝送されるので顕著に妨害を受ける。本発明はこのような回路端子の変形を防止し、また、テレビセット側からの妨害を受けることのないチュ−ナ等の高周波機器及びその高周波機器を用いた電子機器を提供するものである。
【０００８】
【課題を解決するための手段】
以上の課題を解決するため、本発明の高周波機器では、シ−ルドケ−スに複数の孔を形成するとともに前記各孔から前記シ−ルドケ−ス外方に回路端子を突出し、前記各孔の周縁に前記回路端子を囲繞するア−ス端子を形成し、前記アース端子には該アース端子から延在する突片を形成した。
【０００９】
また、前記アース端子は前記回路端子を囲繞するように円弧状に形成された複数の舌片状のアース端子からなり、前記突片を前記舌片状のアース端子に延在して設け、前記突片の幅を前記舌片状のアース端子の幅よりも狭くした。
【００１０】
また、本発明の電子機器は、前記高周波機器をメイン基板に取り付け、前記メイン基板には前記回路端子を挿通する孔と前記突片を挿通する孔とを形成すると共に、配線導体と接地導体とを形成し、前記回路端子を前記配線導体に接続し、前記突片を前記接地導体に接続した。
【００１１】
【発明の実施の形態】
以下、図１〜図６を用いて本発明を説明する。図１は本発明による高周波機器の第一の実施の形態を示す外観斜視図、図２は本発明の高周波機器の使用状態を説明する一部断面図、図３は本発明の高周波機器の使用状態を説明する要部断面図、図４は本発明の高周波機器の第二の実施の形態の要部斜視図、図５は本発明の高周波機器の第三の実施の形態の要部斜視図、図６は本発明の高周波機器の第四の実施の形態の要部斜視図である。
【００１２】
まず、図１〜図３に基づいて本発明の高周波機器の第一の実施の形態及びこの高周波機器の使用状態を説明するが、従来と同一部分には同一番号を付してその説明を省略する。本発明ではカバ−３に、孔７から突出する各回路端子８〜１２を個別に囲繞するように孔７の周縁から筒状のア−ス端子３１をカバ−３に一体でこの回路端子８〜１２に並行するように立設形成している。このア−ス端子３１は絞り加工でされているが、別体の筒状部材を孔７の周縁にはんだ等で固着してもよい。そしてさらに、この筒状のア−ス端子３１の先端には突片３２を複数個形成している。突片３２の長さはメイン基板１４の板厚よりも長くし、突片３２の先端までの高さと回路端子８〜１２の先端までの高さはほぼ等しく設定されている。
【００１３】
このように構成することによって、ア−ス端子８〜１２はその周囲を筒部３１によって囲まれることになり、回路端子８〜１２はその先端のみが筒状のア−ス端子３１の先端から突出することになる。
【００１４】
次に、以上の構成の高周波機器の使用状態を図２、図３によって説明する。ここで、図３は図２に於けるＡ部の詳細な断面図である。シ−ルドケ−ス１の枠体２に形成された取り付け脚６がメイン基板１４に挿通され、メイン基板１４に形成された接地導体１５に電気的、機械的に接続され、同様に、回路端子８〜１２もメイン基板１４に挿通され、このメイン基板１４に形成された配線導体１６〜２０に接続されるのは従来と同じである。本発明ではさらに、図３に詳細に示すようにシ−ルドケ−ス１のカバ−３に形成した筒状のア−ス端子３１をメイン基板１４上に載置するとともに筒状のア−ス端子３１の先端に形成した突片３２をメイン基板１４に挿通し、この突片３２をメイン基板１４の裏面側に形成した接地導体３３に接続する。そして、直流系の端子である電源端子１０、ＡＧＣ端子１１に接続された配線導体１８、１９と、突片３２が接続された接地導体３３との間に接地コンデンサ２２を接続し、電源端子１０、ＡＧＣ端子１１を高周波的に接地するようにしている。
【００１５】
このようにすることによって接地導体３３は突片３２及び筒状のア−ス端子３１を介して短い距離でチュ−ナのシ−ルドケ−ス１に接続されるので接地インピ−ダンスが低くなる。また、全ての回路端子８〜１２が筒状のア−ス端子３１で囲繞される。従って、メイン基板１４の回路部から放射されるテレビセット側の信号があっても筒状のア−ス端子３１がシ−ルド効果を果たし、回路端子８〜１２に飛びつく信号がすくなくなる。また、電源端子１０、ＡＧＣ端子１１の場合は、飛びつきの信号があったとしても、接地インピ−ダンスの低い接地導体３３に接続されたコンデンサ２２によって高周波的に充分に低いインピ−ダンスで接地されているので、飛びつき信号は充分にバイパスされる。また、筒状のア−ス端子３１が回路端子８〜１２を囲繞しているので回路端子８〜１２の変形等を防止する。さらに、メイン基板１４にはアース端子３１は挿通されず突片３２のみが挿通されるのでメイン基板１４上の配線の自由度が大きくなる。
【００１６】
図４〜図６に本発明の高周波機器の他の実施の形態を示す。これらはいずれも図１で説明した筒状のア−ス端子３１を変形したものである。また、図４〜図６で、回路端子としてはアンテナ入力端子８で代表している。図４に示す第二の実施の形態のものは図１の筒状のア−ス端子３１を複数（例えば二つ）に分割して孔７の周縁に沿って回路端子８を囲繞するように円弧状に湾曲した幅の広い舌片状のア−ス端子４１として構成したものである。そして舌片状のア−ス端子４１の先端にメイン基板１４挿通用の突片４２を延在形成したものである。この第二の実施の形態における舌片状のア−ス端子４１は幅広であるので図１の第一の実施の形態の筒状のア−ス端子３１とほぼ同程度のシ−ルド効果がある。このア−ス端子４１は筒状でないので第一の実施の形態の筒状のア−ス端子に比べて加工性がよい。
【００１７】
また、図５に示す第三に実施の形態のものは、図１の筒状のア−ス端子３１をさらに分割して回路端子８と高さのほぼ等しい三つの舌片状のア−ス端子４３にしたものである。この実施の形態の舌片状のア−ス端子４３は図４に第二の実施の形態における舌片状のア−ス端子４１よりもやや幅狭とすることができ、加工性がさらによい。また、幅狭であることから図４のような突片４２を形成しないでそのままメイン基板１４に挿通して接地導体３３に接続することができて、メイン基板１４上の配線の自由度を阻害する事はない。そして、図１の筒状のア−ス端子３１とほぼ同程度のシ−ルド効果がある。
【００１８】
さらに、図６は図１の筒状のア−ス端子３１の代わりに回路端子８とほぼ高さのほぼ等しい幅狭の一個の舌片状のア−ス端子４４を用いるようにしたものである。舌片状のア−ス端子４４は一個であるのでシ−ルド効果はやや劣るものの、図５の舌片状のア−ス端子４３よりもさらに加工性に優れ、またメイン基板１４上の配線の自由度は一層よい。この舌片状のア−ス端子４４も幅狭であることから図４のような突片４２を設けることなくそのままメイン基板１４に挿通し、電源端子１０、ＡＧＣ端子１１の接地コンデンサ２２の接続用の接地導体３３に接続して、この接地導体３３の接地インピ−ダンスを低くするのには充分に効果がある。
【００１９】
以上述べた変形例の舌片状のア−ス端子４１、４３、４４は使用目的に合わせて、その数及び幅等を種種変更して構成することが可能である。また、図５、６に示した舌片状のア−ス端子４３、４４には図４に示したような突片４２を設けなかったが、このような突片４２を設けてその突片４２をメイン基板１４に挿通するようにしてもよい。その場合はメイン基板１４上の配線の自由度はより一層すぐれる。また、これらア−ス端子３１、４１、４３、４４はシ−ルドケ−ス１のカバ−３に形成することで説明したが、これに限ることなく、例えば、シ−ルドケ−スの枠体から回路端子を突出するような高周波機器では直接枠体にア−ス端子３１、４１、４３、４４を適宜形成してもよい。また有底状のシ−ルドケ−スの底から回路端子を突出するような高周波機器では、直接その底面にア−ス端子３１、４１、４３、４４を適宜形成してもよい。
【００２０】
【発明の効果】
以上のように、本発明の高周波機器は、シ−ルドケ−スに複数の孔を形成するとともにこの各孔からシ−ルドケ−ス外方に回路端子を突出し、各孔の周縁に回路端子を囲繞するア−ス端子を形成し、アース端子にはアース端子から延在する突片を形成したので、ア−ス端子が回路端子の保護として機能し、回路端子の変形が防止できる。また、回路端子への妨害信号の飛び込みを防ぐシ−ルド効果を奏する。さらに、回路端子と突片とをメイン基板の孔に挿通して接続する際には、アース端子をメイン基板に載置し、回路端子と突片とをメイン基板に挿通して接続できる。また、メイン基板にはアース端子は挿通されずに突片が挿通されるのでメイン基板上の配線の自由度が大きい。
【００２１】
また、アース端子は回路端子を囲繞するように円弧状に形成された複数の舌片状のアース端子からなり、突片を舌片状のアース端子に延在して設け、突片の幅を舌片状のアース端子の幅よりも狭くしたので、アース端子の加工性がよい。
【００２２】
また、本発明の電子機器は、高周波機器をメイン基板に取り付け、メイン基板には回路端子を挿通する孔と突片を挿通する孔とを形成すると共に、配線導体と接地導体とを形成し、回路端子を配線導体に接続し、突片を接地導体に接続したので、メイン基板と接続される回路端子はアース端子によって同軸的に囲繞されるのでインピーダンスが安定すると共に、外部からの妨害信号受けにくい電子機器が構成できる。
【図面の簡単な説明】
【図１】本発明の高周波機器の外観斜視図である。
【図２】本発明の高周波機器の使用状態を説明する一部断面図である。
【図３】本発明の高周波機器の使用状態を説明する要部拡大断面図である。
【図４】本発明の第二の実施の形態の要部斜視図である。
【図５】本発明の第三の実施の形態の要部斜視図である。
【図６】本発明の第四の実施の形態の要部斜視図である。
【図７】従来の高周波機器の外観斜視図である。
【図８】従来の高周波機器の使用状態を説明する一部断面図である。
【符号の説明】
１  ケ−ス
２  枠体
３．４  カバ−
５  回路基板
６  取り付け脚
７  孔
８．９．１２  信号系の端子
１０．１１  直流系の端子
１３  嵌合爪
１４  メイン基板
１５．２１．３３  接地導体
１６．１７．１８．１９．２０  配線導体
２２  コンデンサ
３１  筒状のア−ス端子
３２．４２  突片
４１．４３．４４  舌片状のア−ス端子
【図１】
0003597326.tif 000002
【図２】
0003597326.tif 000003
【図３】
0003597326.tif 000004
【図４】
0003597326.tif 000005
【図５】
0003597326.tif 000006
【図６】
0003597326.tif 000007
【図７】
0003597326.tif 000008
【図８】
0003597326.tif 000009